(57)【要約】【課題】磁性及び／又は強磁性及び／又はプラスチック材料エレメントによって移動形像を実現するための遠隔制御式構造を提供すること。【解決手段】本発明は、磁性及び／又は強磁性及び／又はプラスチック材料エレメントによって移動形像を実現するための遠隔制御式構造であって、遠隔制御装置が上に備えられているベース・フレーム１０、２０、３０、４０、５０、６０、７０、８０、及び磁性及び／又は強磁性１８、２８、３８、６８、８８及び／又はプラスチック材料エレメントを固定するための手段１７、２７、３７、４７、５７、６７、７７、８２３、８２４、及び所望の形像を実現するために必要であって、前記磁性及び／又は強磁性１８、２８、３８、６８、８８及び／又はプラスチック材料エレメントと、又は互いに組み立てることができる、複数の磁性及び／又は強磁性１８、２８、３８、６８、８８及び／又はプラスチック材料エレメントを組み合わせて含むことを特徴とする遠隔制御式構造に関する。【選択図】図１
2005218870.tif 000002
【特許請求の範囲】
【請求項１】
磁性及び／又は強磁性及び／又はプラスチック材料エレメントによって移動形像を実現するための遠隔制御式構造であって、遠隔制御装置が上に備えられているベース・フレーム、及び磁性及び／又は強磁性及び／又はプラスチック材料エレメントを固定するための手段、及び所望の形像を実現するために必要であって、前記磁性及び／又は強磁性及び／又はプラスチック材料エレメントと、又は互いに組み立てることができる、複数の磁性及び／又は強磁性及び／又はプラスチック材料エレメントを組み合わせて含むことを特徴とする遠隔制御式構造。
【請求項２】
前記ベース・フレームが、前記遠隔制御装置によって、好ましくは２つのステアリング前輪と２つの非ステアリング後輪によって作動される車輪を備えていることを特徴とする、請求項１に記載の遠隔制御式構造。
【請求項３】
２つの駆動前輪又は駆動後輪、若しくは４つの駆動輪が備えられていることを特徴とする、請求項１又は２に記載の遠隔制御式構造。
【請求項４】
前記ベース・フレームが形状化されたフレームによって構成されることを特徴とする、請求項１から３までのいずれか一項に記載の遠隔制御式構造。
【請求項５】
前記ベース・フレームが、実現しようとする形像に適したフレームを実現する複数のエレメントの組立体によって構成されることを特徴とする、請求項１から３までのいずれか一項に記載の遠隔制御式構造。
【請求項６】
磁性及び／又は強磁性エレメントを固定するための前記手段が、前記ベース・フレームの中に組み込まれることを特徴とする、請求項１から５までのいずれか一項に記載の遠隔制御式構造。
【請求項７】
磁性及び／又は強磁性エレメントを固定するための前記手段が、単に前記ベース・フレームに個別に取り付けられることを特徴とする、請求項１から５までのいずれか一項に記載の遠隔制御式構造。
【請求項８】
前記ベース・フレームが、前記強磁性エレメントを固定するための実質的にハニカム状の構造によって実現されることを特徴とする、請求項１から５までのいずれか一項に記載の遠隔制御式構造。
【請求項９】
前記磁性及び／又は強磁性及び／又はプラスチック材料エレメントが、前記ベース・フレームに固定的又は取外し可能に結合されることを特徴とする、請求項１から８までのいずれか一項に記載の遠隔制御式構造。
【請求項１０】
磁性及び／又は強磁性エレメントを固定するための前記手段が、前記ベース・フレームから突出していることを特徴とする、請求項１から９までのいずれか一項に記載の遠隔制御式構造。
【請求項１１】
磁性及び／又は強磁性エレメントを固定するための前記手段が、部分的又は完全に前記ベース・フレームの中に組み込まれることを特徴とする、請求項１から９までのいずれか一項に記載の遠隔制御式構造。
【請求項１２】
前記ベース・フレームが、互いに関節式に繋がった１つ又は複数の部品で構成されることを特徴とする、請求項１から１１までのいずれか一項に記載の遠隔制御式構造。
【請求項１３】
前記ベース・フレームがプラスチック、金属、又は軽合金で構成されることを特徴とする、請求項１から１２までのいずれか一項に記載の遠隔制御式構造。
【請求項１４】
前記ベース・フレームと結合されるために追加プレートが設けられ、実現しようとする形像のために適切なベース・フレームの形状が得られることを特徴とする、請求項１から１３までのいずれか一項に記載の遠隔制御式構造。
【請求項１５】
前記追加プレートが、磁性及び／又は強磁性及び／又はプラスチック材料エレメントを結合するための手段を備えるか、又は備えないことを特徴とする、請求項１４に記載の遠隔制御式構造。
【請求項１６】
前記プレートと前記ベース・フレームとの間の結合が、ベース・フレームの側部又は上方部分で起ることを特徴とする、請求項１４又は１５に記載の遠隔制御式構造。
【請求項１７】
前記結合が磁性テープ式であるか、又はピン・ホール結合、又は固定継手結合であることを特徴とする、請求項１６に記載の遠隔制御式構造。
【請求項１８】
前記構造の牽引システムを、単一のＤＣ電動機、又は２つのＤＣ電動機によって構成することができることを特徴とする、請求項１から１７までのいずれか一項に記載の遠隔制御式構造。
【請求項１９】
前記構造のステアリングシステムを、実現しようとする形像の重量に基づいて、単一モータによって、又は各ステアリング輪について１つのモータによって制御することができることを特徴とする、請求項１から１８までのいずれか一項に記載の遠隔制御式構造。
【請求項２０】
遠隔制御装置が、特に中・長受信距離を有する高周波を使用する無線制御システムで構成されることを特徴とする、請求項１から１９までのいずれか一項に記載の遠隔制御式構造。
【請求項２１】
電力供給システムが、充電可能バッテリー又は充電不能バッテリーを含むバッテリー・パックで構成されることを特徴とする、請求項１から２０までのいずれか一項に記載の遠隔制御式構造。
【請求項２２】
前記フレームに結合することができて、前記磁性及び／又は強磁性及び／又はプラスチック材料エレメントを使用して実現される形像を支持する、形状化されたエレメントが提供されることを特徴とする、請求項１から２１までのいずれか一項に記載の遠隔制御式構造。
【請求項２３】
前記形状化されたエレメントが透明なプラスチック材料で構成されることを特徴とする、請求項２２に記載の遠隔制御式構造。
【請求項２４】
磁性エレメントを収容するために前記フレームの上にシートが備えられ、実現される形像の対応する強磁性エレメントは前記シートに結合され、又はその逆もあり、すなわち、フレームは形像と結合する強磁性エレメントを提供することを特徴とする、請求項２２又は２３に記載の遠隔制御式構造。
【請求項２５】
前記形状化されたエレメントは前記フレームに固定結合されることを特徴とする、請求項２２、２３又は２４に記載の遠隔制御式構造。
【請求項２６】
実質的に図示及び説明されたような請求項１から２５までの各項に記載の遠隔制御式構造。
【発明の詳細な説明】
【技術分野】
【０００１】
本発明は、磁性及び／又は強磁性及び／又はプラスチック材料エレメントによって移動形像を実現するための遠隔制御式構造に関する。
【０００２】
特に、本発明は、フレームの組合せによって各形像を実現できるようにする上記の種類の構造であって、遠隔制御と、磁性及び／又は強磁性及び／又はプラスチック材料エレメントを前記遠隔制御と、磁性及び／又は強磁性及び／又はプラスチック材料エレメントと結合する手段とを備え、前記形像はユーザによって再構成可能又は変更可能である、構造に関する。
【０００３】
次に、本明細書は主として車及び４輪車輌の実現を対象とするが、本特許出願の範囲はこの種の適用に過度に限定されるべきではなく、したがって本発明の構造は遠隔制御によって移動可能である各形像の実現を可能にすることを明確に理解されたい。
【背景技術】
【０００４】
周知のように近年、複雑な形像を組み立てるための磁性エレメント及び強磁性エレメントとの間の相互作用に基づく、様々な異なる組立体が実現されている。
【０００５】
実質的に、これらは、様々な方法で強磁性エレメント又は球に組み合わせた磁性端部を有する棒又は全磁性棒の組合せから構成されて、複雑な形像を実現する。
【０００６】
第１大部類では、磁性端部を有する棒の提供は、すべてが同じサイズを有し、エア・ギャップによって分けられた２つの磁石からなる、市場でＲｏｇｅｒ’ｓ  Ｃｏｎｎｅｃｔｉｏｎの名で知られる玩具、又は、磁石―強磁性体―磁石の組合せから成る棒で、商品名Ｇｅｏｍａｇ（登録商標）で市販されている物が含まれると考えられるべきである。両方の場合とも、強磁性球体を使用することによって複雑な形像が実現される。
【０００７】
第２大部類では、本出願人が特許を取得して実現した、完全に磁性材料から構成される様々なサイズの棒を提供するＳｕｐｅｒｍａｇ（登録商標）として市場で知られている製品が含まれると考えるべきである。Ｓｕｐｅｒｍａｇ（登録商標）は、得られる形像の丈夫さと同様に、常により複雑な形像を実現する可能性がある限り、この両方の点から周知の解決策に対して著しい改良を実現している。
【０００８】
この分野における１つの著しい改良は近年、２００４年７月１９日に出願されたイタリア特許出願第ＲＭ２００４Ａ０００３６２号によって提唱されており、これには、この種の製品との遊びの可能性を改良できる解決策が記載されている。
【０００９】
車、船、飛行機、ロボットなどの無線又は遠隔制御式玩具も知られており、これらは遠隔制御のために必要な手段によって実現される他に、随意に変更又は改造することができないフレーム又はいずれにしても中実の主要構造を有する。
【００１０】
これに関連して、本発明によって提供される解決策は、遠隔制御のために必要なすべての手段を備えた構造を提唱し、これは、上述の磁性、強磁性、及びプラスチック材料エレメントを使用する構造の実現を可能にする。
【発明の開示】
【発明が解決しようとする課題】
【００１１】
本発明の目的は、各形状と各サイズとを有する遠隔制御可能な対象物の実現を可能にする、上述の種類の構造を実現することである。
【００１２】
本発明の更に別の目的は、いつでも対象物を改造又は変更できるようにする上述の種類の構造を提供することである。
【課題を解決するための手段】
【００１３】
したがって、本発明の特定の対象物は、磁性及び／又は強磁性及び／又はプラスチック材料エレメントによって移動形像を実現するための遠隔制御式構造であって、遠隔制御装置が上に備えられているベース・フレーム、及び磁性及び／又は強磁性及び／又はプラスチック材料エレメントを固定するための手段、及び所望の形像を実現するために必要であって、前記磁性及び／又は強磁性及び／又はプラスチック材料エレメントと、又は互いに組み立てることができる、複数の磁性及び／又は強磁性及び／又はプラスチック材料エレメントを組み合わせて含むことを特徴とする遠隔制御式構造である。
【００１４】
特に本発明によって、前記ベース・フレームは、前記遠隔制御装置によって、好ましくは２つのステアリング前輪と２つの非ステアリング後輪によって作動される車輪を備えている。
【００１５】
本発明によって常に、２つの駆動前輪又は駆動後輪、若しくは４つの駆動輪を備えることが可能である。
【００１６】
更に又、本発明によって、前記フレームを形状化されたフレームによって構成するか、又は実現しようとする形像に適したフレームを実現する複数のエレメントの組立体によって構成することができる。
【００１７】
更に本発明によって、磁性及び／又は強磁性エレメントを固定するための前記手段を、前記ベース・フレームの中に組み込むことができるか、又はこれらを単に前記ベース・フレームに個別に取り付けることができる。
【００１８】
本発明によって常に、前記ベース・フレームを、前記強磁性エレメントを固定するための実質的にハニカム状の構造によって実現することができる。
【００１９】
本発明により、前記磁性及び／又は強磁性及び／又はプラスチック材料エレメントを、前記ベース・フレームと固定的又は取外し可能に結合することができることは好ましい。
【００２０】
更に又、本発明によって、磁性及び／又は強磁性エレメントを固定するための前記手段は、前記ベース・フレームから突出することができるか、又は部分的に若しくは完全に前記ベース・フレームの中に組み込むことができる。
【００２１】
本発明による構造の一実施形態では、前記ベース・フレームを、互いに関節式に繋がった１つ又は複数の部品で構成することができる。
【００２２】
本発明によって、前記ベース・フレームをプラスチック、金属、又は軽合金で構成することができる。
【００２３】
更に本発明によって、前記ベース・フレームと結合されるべき追加プレートを準備して、実現しようとする形像のために適切なベース・フレームの形状を得ることが可能である。
【００２４】
特に、前記追加プレートは、磁性及び／又は強磁性及び／又はプラスチック材料エレメントを結合するための手段を備えることも、又は備えないこともできる。
【００２５】
前記プレートと前記ベース・フレームとの間の結合は、ベース・フレームの側部又は上部の上で可能である。
【００２６】
前記結合を磁性テープ式にすることができ、又はピン・ホール結合、又は固定継手結合にすることができる。
【００２７】
本発明による構造の牽引システムを、単一のＤＣ電動機、又は２つのＤＣ電動機によって構成することができる。
【００２８】
本発明による構造のステアリングシステムを、実現しようとする形像の重量に基づいて、単一モータによって、又は各ステアリング輪について１つのモータによって制御することができる。
【００２９】
遠隔制御装置を、特に中・長受信距離を有する高周波を使用する、無線制御システムで構成することができる。
【００３０】
電力供給システムを、充電可能バッテリー又は充電不能バッテリーを含むバッテリー・パックで構成することができる。
【００３１】
本発明による特に好ましい実施形態では、前記フレームに結合することができて、前記磁性及び／又は強磁性及び／又はプラスチック材料エレメントを使用して実現される形像を支持する、形状化されたエレメントが提供される。
【００３２】
本発明により、前記形状化されたエレメントを透明なプラスチック材料で構成されることは好ましい。
【００３３】
本発明によって常に、磁性エレメントを収容するために前記フレームの上にシートが備えられ、実現される形像の対応する強磁性エレメントは前記シートに結合され、又はその逆もあり、すなわち、フレームは形像と結合する強磁性エレメントを提供する。
【００３４】
本発明によって更に、前記形状化されたエレメントは前記フレームに固定結合される。
【００３５】
以下に本発明を、添付の図面の各図を参照して、その好ましい実施形態に従って例示的に、しかし限定する目的ではなく説明する。
【実施例】
【００３６】
既に述べたように、特に自動車の実現に取り組む解決策を次に説明するが、提案する本発明による解決策を遠隔制御によって動作できるあらゆる構造に適用できることは極めて明らかである。
【００３７】
図１〜４を見ると、ユーザの空想による各種の車やトラックなどの、様々な種類の車両を構築するために役立つ形状と寸法とを有する、本発明による構造の第１実施形態が示されている。
【００３８】
特に、構造は、充電可能又は充電不能のバッテリーを有するバッテリー電源群１１を準備するベース・フレーム１０と、遠隔制御群１２とを備えている。
【００３９】
更に、ステアリング群１４を有する２つの前輪１３’、１３”と、駆動群１６を有する２つの後輪１５’、１５”とが備えられている。明らかに、解決策として駆動前輪も提供することができる。
【００４０】
強磁性のベース・エレメント又は球体１８を固定するための複数の手段１７が、ベース・フレーム１０の上に備えられ、これらは図３及び４に更に詳しく図示されており、フレーム１０の上に球体１８を位置付けることによって、複数の磁性エレメント又は棒（図示せず）及びその他の球体１８を位置付けて、車両の所望の構造が得られる。
【００４１】
異なる形状のベース・フレーム１０を望む場合には、いくつかの追加物（図示せず）をベース・フレーム１０に結合することが可能で、前記追加物は以下の実施形態を参照してより詳細に説明され、これらはベース・フレーム１０に対して横に設けられた孔１９によって結合することができ、又は磁性型である場合には別の結合システムによって結合することができる。
【００４２】
次に図５〜８を見ると、構造的には図１〜４に示す先の実施形態に似ているが、ベース・フレーム２０が単一種類の車又はトラックを実現するために直接形状化されている、実施形態が示されている。数字「１」の代りに数字「２」を使用して、先の実施形態のために使用された同じ参照番号によって示されたこの実施形態の単一エレメントは、以下では更に詳細には説明しない。
【００４３】
図９〜１２に示す本発明による構造の実施形態は、図５〜８に示す先の実施形態と実質的に同じであるが、球体３８を固定するための手段３７が異なる形式である。この場合には、手段３７は球体３８を永続的に固定し、手段１７及び２７が球体１８、２８を取外し可能に結合することを可能にする弾性突出部を提供する先の実施形態とは異なる。
【００４４】
図１３〜１６に示す実施形態は、実現しようとする構造に関係してベース・フレーム４０を変更できるようにする形状と寸法で適切に作られたベース・フレーム４０を提供する。
【００４５】
ベース・フレーム４０の形状の特定構造への適合は、孔４９の中に挿入されたピン４０２によって結合されたプレート４０１によって得られる。明らかに、プレート４０１のベース・フレームとの結合を、磁性又は固定式接合継手によって実現することもできよう。
【００４６】
所望の形状を得るためにベース・フレーム４０と組み合わせて使用することができるプレート４０１の可能な形状のいくつかを、図１５及び１６に示す。
【００４７】
球体（これらの図には図示せず）を固定するための手段４７も、プレート４０１の上に備えられている。
【００４８】
その他の機能はすべて先の実施形態のものと同じである。
【００４９】
図１７〜２０に先の実施形態に似た実施形態を示すが、先の実施形態に対する主な相違は、プレート５０１が上に説明したように横ではなく上でベース・フレーム５０に結合されていることである。この場合も又、結合を、孔５９の中にピン５０２を挿入することによって、又は磁性若しくは固定式接合継手によって行うことができる。
【００５０】
その他の機能はすべて先の実施形態のものと同じである。
【００５１】
次に図２１〜２４を見ると、スヌード６０３とばね６０４によって接合された２つの部品６０’及び６０”から構成されたベース・フレーム６０を提供する、本発明による構造の第６実施形態が示されている。
【００５２】
その他の機能はすべて先の実施形態のものと同じである。
【００５３】
図２５及び２６に示す実施形態は、一連の孔７０４と溝７０５とを備えたベース・フレーム７０を提供し、球体（図示せず）を導入してこれらの球体をフレームの中にこれらの容積の３／４だけ隠すことを可能にし、次いでこれらの球体を磁性棒（やはり図示せず）と接合し、様々な寸法を得ることができる。
【００５４】
この棒は溝７０５の中に隠され、この構造の重量による自動ブロック・ネットワークの創造を可能にする。
【００５５】
溝７０５’、７０５”は、商標ＳＵＰＥＲＭＡＧ（登録商標）で市販されている物のように、様々な寸法の棒を使用することができるように様々な寸法を有することができる。
【００５６】
更に又、この構造は、ベース・フレーム７０の外側に突出する棒の製造を可能にし、従ってより広いかより高い構造を実現する。
【００５７】
明らかに、このシステムを拡張プレートの上に備えることもできる。
【００５８】
上記のことから明白になるように、本発明による構造は、様々な寸法と構造を有する強磁性エレメント又は球体及び棒エレメトを上に適用するか又は既に部分的に適用されている、ベース・フレーム１０、２０、３０、４０、５０、６０、７０を提供する。
【００５９】
この解決策によって、各形式の遠隔制御される構造、つまり後で変更できるか又は分裂後に改造できる構造を作り出す可能性が、ユーザに適用される。
【００６０】
あらゆる構造を実現可能にするために、あらゆる位置に強磁性エレメントを導入することができるように寸法決めされた小室を有する、ハニカム状の構造を有するベース・フレームを実現することも可能である。
【００６１】
挿入プレート４０１、５０１を提供する構造を使用できるようにするため、ベース・フレームは外部周辺及び／又は上部周辺に沿って孔１９、２９、３９、４９，５９、６９を横方に備えて、プレートの横方向及び上の両方からの導入を可能にすることが必要である。プレートの結合は様々な方式で、例えば磁性結合又は固定式継手など、どのような方法によっても実現可能である。
【００６２】
プレート４０１、５０１は、プラスチック、金属、又は軽合金によって構成することができ、強磁性エレメントの固定式又は取外し可能な結合のための手段を備えることができる。図から注目することができるように、前記プレート４０１、５０１は、又ベース・フレームの形状に応じても多くの様々な構造の創造を可能にする、様々な寸法と形状を有することができる。
【００６３】
図から注目されるように、前記プレート４０１、５０１は、球体を固定式又は取外し可能に結合するための手段を収容する上側と、端部を丸くした円筒形突出物が打ち込まれるより長い周辺側部とを有し、円筒形突出物は、フレームの周辺又は表面ベースの上に設けた孔の中に軽い圧力で固定式に接合することを可能にする特定の距離と比例長を有する。突出物の対向する周辺側が、２つ以上のプレートを互いに結合できるようにするため孔が開けられていることは明らかである。
【００６４】
最後に、添付の図面の図２７〜３２を見ると、本発明による構造の現在最も好ましい実施形態が示されている。
【００６５】
特に、形状化されたエレメント８２０がベース・フレーム８０の上に取り付けられ、前記エレメント８２０は透明な材料で作られることが好ましく、約１．５から２ｍｍの厚さを有する。「皮」とも呼ばれる前記形状化されたエレメント８２０によって、包括的に図２８〜３２のすべてに示すように、磁性エレメント、プラスチック材料エレメント、及び強磁性材料から成る球体８８を使用する所望の形状を、フレーム８０の上に有する機械を実現することが可能になる。
【００６６】
前記形状化されたエレメント８２０は、別の手段によって結合が得られることが明白な場合でも、ピン８２１とシート８２２との間の固定式継手によってフレーム８０に結合される。
【００６７】
更に、磁性棒８２４を収容するために、シート８２３が前記フレーム８０の上に備えられ、磁性棒８２４の上に球体８８の１つ又は他の強磁性エレメントが結合される。
【００６８】
図２８〜３２に示す構造は、上述のようにあらゆる磁性、強磁性、又はプラスチック・エレメントを使用して実現され、破損の場合に容易に再構成することが可能である。
【００６９】
本発明を、好ましい実施形態によって、例示のためであるが限定する目的ではなく説明したが、添付の特許請求の範囲に定義されているように関連範囲から逸脱することなく、改修及び／又は変更が当業者によって紹介され得ることを理解されたい。
【図面の簡単な説明】
【００７０】
【図１】本発明による構造の第１実施形態の概略平面図である。
【図２】図１の構造の側面図である。
【図３】図１の構造の第１特色の側面図である。
【図４】図１の特色の上面図である。
【図５】本発明による構造の第２実施形態の概略平面図である。
【図６】図５の構造の側面図である。
【図７】図５の構造の第１特色の側面図である。
【図８】図５の特色の上面図である。
【図９】本発明による構造の第３実施形態の概略平面図である。
【図１０】図９の構造の側面図である。
【図１１】図９の構造の第１特色の側面図である。
【図１２】図９の特色の上面図である。
【図１３】本発明による構造の第４実施形態の概略平面図である。
【図１４】図１３の構造の側面図である。
【図１５ａ】図１３の構造の第１特色の側面図である。
【図１５ｂ】図１３の特色の上面図である。
【図１６ａ】図１３の構造の更に別の特色を示す図である。
【図１６ｂ】図１３の構造の更に別の特色を示す図である。
【図１６ｃ】図１３の構造の更に別の特色を示す図である。
【図１６ｄ】図１３の構造の更に別の特色を示す図である。
【図１６ｅ】図１３の構造の更に別の特色を示す図である。
【図１６ｆ】図１３の構造の更に別の特色を示す図である。
【図１６ｇ】図１３の構造の更に別の特色を示す図である。
【図１６ｈ】図１３の構造の更に別の特色を示す図である。
【図１６ｉ】図１３の構造の更に別の特色を示す図である。
【図１７】本発明による構造の第５実施形態の概略平面図である。
【図１８】図１７の構造の側面図である。
【図１９ａ】図１７の構造の第１特色の側面図である。
【図１９ｂ】図１７の特色の上面図である。
【図２０ａ】図１７の構造の更に別の特色を示す図である。
【図２０ｂ】図１７の構造の更に別の特色を示す図である。
【図２０ｃ】図１７の構造の更に別の特色を示す図である。
【図２０ｄ】図１７の構造の更に別の特色を示す図である。
【図２０ｅ】図１７の構造の更に別の特色を示す図である。
【図２０ｆ】図１７の構造の更に別の特色を示す図である。
【図２０ｇ】図１７の構造の更に別の特色を示す図である。
【図２０ｈ】図１７の構造の更に別の特色を示す図である。
【図２１】本発明による構造の第６実施形態の概略平面図である。
【図２２】図２１の構造の側面図である。
【図２３】図２１の構造の第１特色の側面図である。
【図２４】図２１の特色の上面図である。
【図２５】本発明による構造の第７実施形態の概略平面図である。
【図２６】図２５の構造の側面図である。
【図２７】本発明による構造の第８実施形態の概略斜視図である。
【図２８】図２７の構造の斜視図である。
【図２９】図２７の構造の上面図である。
【図３０】図２７の構造の前面図である。
【図３１】図２７の特色の側面図である。
【図３２】図２７の構造の後面図である。
【符号の説明】
【００７１】
１０  ベース・フレーム
１１  バッテリー電源群
１２  遠隔制御群
１３  前輪
１４  ステアリング群
１５  後輪
１６  駆動群
１７  固定手段
１８  ベース・エレメント又は球体
１９  孔
２０  ベース・フレーム
２８  球体
３０  ベース・フレーム
３７  固定手段
３８  球体
３９  孔
４０  ベース・フレーム
４７  固定手段
４９  孔
５０  ベース・フレーム
５９  孔
６０  ベース・フレーム
６９  孔
７０  ベース・フレーム
８０  ベース・フレーム
８８  球体
４０１  プレート
４０２  ピン
５０１  プレート
５０２  ピン
６０３  スヌード
６０４  ばね
７０４  孔
７０５  溝
８２０  形状化されたエレメント
８２１  ピン
８２２  シート
８２３  シート
８２４  磁性棒
【図１】
2005218870.tif 000003
【図２】
2005218870.tif 000004
【図３】
2005218870.tif 000005
【図４】
2005218870.tif 000006
【図５】
2005218870.tif 000007
【図６】
2005218870.tif 000008
【図７】
2005218870.tif 000009
【図８】
2005218870.tif 000010
【図９】
2005218870.tif 000011
【図１０】
2005218870.tif 000012
【図１１】
2005218870.tif 000013
【図１２】
2005218870.tif 000014
【図１３】
2005218870.tif 000015
【図１４】
2005218870.tif 000016
【図１５ａ】
2005218870.tif 000017
【図１５ｂ】
2005218870.tif 000018
【図１６ａ】
2005218870.tif 000019
【図１６ｂ】
2005218870.tif 000020
【図１６ｃ】
2005218870.tif 000021
【図１６ｄ】
2005218870.tif 000022
【図１６ｅ】
2005218870.tif 000023
【図１６ｆ】
2005218870.tif 000024
【図１６ｇ】
2005218870.tif 000025
【図１６ｈ】
2005218870.tif 000026
【図１６ｉ】
2005218870.tif 000027
【図１７】
2005218870.tif 000028
【図１８】
2005218870.tif 000029
【図１９ａ】
2005218870.tif 000030
【図１９ｂ】
2005218870.tif 000031
【図２０ａ】
2005218870.tif 000032
【図２０ｂ】
2005218870.tif 000033
【図２０ｃ】
2005218870.tif 000034
【図２０ｄ】
2005218870.tif 000035
【図２０ｅ】
2005218870.tif 000036
【図２０ｆ】
2005218870.tif 000037
【図２０ｇ】
2005218870.tif 000038
【図２０ｈ】
2005218870.tif 000039
【図２１】
2005218870.tif 000040
【図２２】
2005218870.tif 000041
【図２３】
2005218870.tif 000042
【図２４】
2005218870.tif 000043
【図２５】
2005218870.tif 000044
【図２６】
2005218870.tif 000045
【図２７】
2005218870.tif 000046
【図２８】
2005218870.tif 000047
【図２９】
2005218870.tif 000048
【図３０】
2005218870.tif 000049
【図３１】
2005218870.tif 000050
【図３２】
2005218870.tif 000051